(57)【要約】【課題】ＨＤＣＰによる機器認証に関する情報は、接続状態を維持することなく保存できない為、再接続する度に再度認証処理を行うか、認証状態を維持し続けるために映像出力信号を出力し続ける必要があり、ユーザーは二者択一的に高速起動か低消費電力かを選択する必要があった。【解決手段】リモコンからの起動操作及び通電予備動作検出の通知を受信する通知信号受信手段と、通電予備動作を検出した際に、ＨＤＣＰ認証処理を開始する制御を行う先行認証制御手段と、ＨＤＣＰ認証処理先である映像表示装置へ先行認証開始を通信する通信手段を備え、ユーザーによる電源オン操作に先駆けて行われる通電予備動作に基づいて、ＨＤＣＰ認証処理を開始する。【選択図】図２
2010232762.tif 000002
【特許請求の範囲】
【請求項１】
映像を表示する映像表示装置と、映像を再生する映像再生装置とからなる映像再生システムであって、
前記映像再生装置は、
表示対象の映像の映像信号を生成し、前記映像信号を出力する映像出力手段と、
前記映像表示装置との間で、認証処理を行う認証処理手段と、
通電予備動作を検出する通電予備動作検出手段と、
前記通電予備動作検出手段が通電予備動作を検出した際、認証処理を画面表示より先行的に行う先行認証の開始を判断する先行認証制御手段と、
前記先行認証制御手段が先行認証の開始と判断した場合、前記映像表示装置に対し、先行認証開始を通知する先行認証通知手段とを備え、
前記先行認証通知手段が先行認証開始を通知した後、前記認証処理手段は、前記映像表示装置との間で先行認証処理を行い、
前記映像表示装置は、
前記映像再生装置から先行認証開始通知を受け取り、前記映像再生装置との間で、画面表示より先行的に認証処理を行うことを特徴とする、映像再生システム。
【請求項２】
映像を再生する映像再生装置であって、
表示対象の映像に対する映像信号を生成し、前記映像信号を出力する映像出力手段と、
認証処理を行う認証処理手段と、
通電予備動作を検出する通電予備動作検出手段と、
前記通電予備動作検出手段が通電予備動作を検出した際、認証処理を画面表示より先行的に行う先行認証の開始を判断する先行認証制御手段と、
前記先行認証制御手段が先行認証の開始と判断した場合、先行認証開始を通知する先行認証通知手段とを備え、
前記先行認証通知手段が先行認証開始を通知した後、前記認証処理手段は、先行認証処理を行うことを特徴とする映像再生装置。
【請求項３】
前記映像出力手段に対し同期信号を供給する同期信号生成手段と、
起動操作を検出する起動操作検出手段を備え、
前記同期信号生成手段は、前記先行認証処理中は、自走クロックモードにて駆動し、前記起動操作検出手段が起動操作を検出した後は、映像信号に対する同期クロックモードにて駆動することを特徴とする請求項２に記載の映像再生装置。
【請求項４】
先行認証を有効とする時間帯を判定する有効判定手段を備え、
前記先行認証制御手段は、前記通電予備動作検出手段が通電予備動作を検出した際、前記有効判定手段に、通電予備動作を検出した時刻が先行認証有効時間帯であるか否かを問い合わせ、問い合わせの結果が先行認証有効時間帯である場合、認証処理を画面表示より先行的に行う先行認証の開始と判断することを特徴とする請求項２に記載の映像再生装置。
【請求項５】
起動操作と終了操作が行われた時刻を通電履歴情報として記憶する通電履歴情報と、番組録画の予約情報である予約録画情報を記憶する判定情報記憶手段を備え、
前記有効判定手段は、前記判定情報記憶手段に記憶されている前記通電履歴情報と前記予約録画情報を用いて、先行認証を有効とする時間帯を判定することを特徴とする請求項４に記載の映像再生装置。
【請求項６】
前記同期信号生成手段は、映像信号に対し高速に同期を行う高速同期モードと、信号ジッタの発生を抑え低速に同期を行う低速同期モードとを備え、
前記同期信号生成手段は、前記先行認証処理終了後に前記起動操作検出手段が起動操作を検出した場合、自走クロックモードから前記高速同期モードへの切り替えを行った後に前記低速モードへの切り替えを行い、前記先行認証処理中に前記起動操作検出手段が起動操作を検出した場合、自走クロックモードから前記低速同期モードへの切り替えを行うことを特徴とする請求項３に記載の映像再生装置。
【請求項７】
映像を再生する映像再生方法であって、
表示対象の映像に対する映像信号を生成し、前記映像信号を出力する映像出力ステップと、
認証処理を行う認証処理ステップと、
通電予備動作を検出する通電予備動作検出ステップと、
前記通電予備動作ステップで通電予備動作を検出した際、認証処理を画面表示より先行的に行う先行認証の開始を判断する先行認証制御ステップと、
前記先行認証制御ステップで先行認証の開始と判断した場合、先行認証開始を通知する先行認証通知ステップとを備え、
前記先行認証通知ステップが先行認証開始を通知した後、前記認証処理ステップは、先行認証処理を行うことを特徴とする映像再生方法。
【請求項８】
前記映像出力ステップが同期する同期信号を供給する同期信号生成ステップと、
起動操作を検出する起動操作検出ステップを備え、
前記同期信号生成ステップは、映像信号に対し高速に同期を行う高速同期モードと、信号ジッタの発生を抑え低速に同期を行う低速同期モードとを備え、
前記同期信号生成ステップは、前記先行認証処理終了後に起動操作を検出した場合、自走クロックモードから前記高速同期モードへの切り替えを行った後に前記低速モードへの切り替えを行い、前記先行認証処理中に起動操作を検出した場合、自走クロックモードから前記低速同期モードへの切り替えを行うことを特徴とする請求項７に記載の映像再生方法。
【発明の詳細な説明】
【技術分野】
【０００１】
本発明はテレビジョン装置とＨＤＭＩ接続される映像再生装置に関し、特に、起動操作を受け付けた時のテレビジョン装置の表示を高速化する技術に関する。
【背景技術】
【０００２】
近年、ＨＤＭＩ（Ｈｉｇｈ  Ｄｅｆｉｎｉｔｉｏｎ  Ｍｕｌｔｉｍｅｄｅｉａ  Ｉｎｔｅｒｆａｃｅ）を搭載したＡＶ機器が普及している。
【０００３】
ＨＤＭＩは、機器間の映像・音声信号を接続する規格である。
【０００４】
特徴として、映像や音声信号をデジタル信号で伝送することができ、従来のアナログ接続にくらべ、劣化のない信号を出力することができることがあげられる。
【０００５】
また、ＨＤＭＩは、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）と呼ばれる、著作権保護の機構も有している。ＨＤＣＰは、伝送路上に送出されるコンテンツに対する、著作権保護の機構であり、コンテンツ保護の観点においても優れている。
【０００６】
つまり、テレビジョン装置やＤＶＤ／ＢＤプレーヤおよびレコーダなどのＡＶ機器が、ＨＤＭＩを搭載し、プレーヤ・レコーダとテレビジョン装置間をＨＤＭＩ接続することになる。これにより、映像・音声信号が、デジタル信号にて伝送され、高画質、高音質での出画が可能となっている。
【０００７】
また、ＨＤＭＩでは、ＣＥＣ（Ｃｏｎｓｕｍｅｒ  Ｅｌｅｃｔｒｏｎｉｃｓ  Ｃｏｎｔｒｏｌ）と呼ばれる機器間通信機能を利用することができる。テレビジョン装置と映像再生装置は、リモート操作器に対する操作に応じて、ＣＥＣインターフェースを通じた制御コマンドを送信することにより、互いに相手機器を起動させたり外部入力を切り替えたりすることができる。
【０００８】
機器の高速起動に関する従来の技術として、複数の機器が接続されたシステムにおいて、特定の機器に対する電源オン又は電源オフ操作に応じて、全ての機器の電源をオン又はオフするシステムが提案されている（例えば、特許文献１参照）。複数の機器として、ＤＶＤプレーヤやＣＤプレーヤ、ＭＤプレーヤなどが想定されている。
【０００９】
一方で、ユーザーは、電源を入れる操作を行ってから、実際に再生、あるいは録画が開始できるまで長時間待つのを好まないので、近年、高速電源起動するハードディスク内蔵レコーダが登場している。
【００１０】
これは、通常の電源起動処理を行った後に、電源をオフ状態にしても、システムの一部電源を通電したままにすることにより、２回目以降の電源起動処理を大幅に短縮するものである。
【００１１】
この機能を用いた従来の技術として、光センサ、タイマーからの情報に基づき、低消費電力の待機時電源と高速起動可能な待機状態電源を切り替えるものがあった（例えば、特許文献２参照）。この従来の技術は、消費電力の増大を抑えつつ高速な起動を行っている。
【特許文献１】特開２００３−３６６６０号公報
【特許文献２】特開２００７−２８０５１２号公報
【発明の開示】
【発明が解決しようとする課題】
【００１２】
従来技術における高速起動可能な待機状態とは、前回起動時の情報をメモリ上に記憶したまま、ＣＰＵやハードディスク、映像出力回路といった周辺回路の電源をオフにすることによって実現されている。メモリ上に記憶する情報とは、例えば、システム情報や読み込んだ記録媒体の管理情報などである。
【００１３】
しかしながら、ＨＤＣＰによる機器認証に関する情報については、コンテンツ保護という規格の目的上から、接続状態（認証状態）を維持することなく、認証に関する情報を保存することは許可されていない。
【００１４】
このため、前記従来技術では、ＨＤＭＩ接続された機器において、待機状態電源への切り替えを行えず、消費電力の増大を抑えつつ、高速起動することができないという課題を有していた。つまり、再接続する度に再度認証処理を行うか、認証状態を維持し続けるために映像出力信号を出力し続ける必要があり、低消費電力か高速起動かを選択する必要があった。
【００１５】
本発明は、前記従来の課題を解決するもので、消費電力の増大を抑えつつ高速にＨＤＭＩによる出画を行うことができる映像再生装置を提供することを目的とする。
【課題を解決するための手段】
【００１６】
前記従来の課題を解決するために、本発明の映像再生装置は、映像を再生する映像再生装置であって、表示対象の映像に対する映像信号を生成し、前記映像信号を出力する映像出力手段と、認証処理を行う認証処理手段と、通電予備動作を検出する通電予備動作検出手段と、前記通電予備動作検出手段が通電予備動作を検出した際、認証処理を画面表示より先行的に行う先行認証の開始を判断する先行認証制御手段と、前記先行認証制御手段が先行認証の開始と判断した場合、先行認証開始を通知する先行認証通知手段とを備え、前記先行認証通知手段が先行認証開始を通知した後、前記認証処理手段は、先行認証処理を行うことを特徴とする。
【００１７】
本構成によって、実際の起動操作が行われる前に、先行的にＨＤＣＰ認証処理を開始することが可能となる。
【発明の効果】
【００１８】
本発明の映像再生装置によれば、認証状態を維持し続けることなく、高速にＨＤＭＩによる出画を行うことができる。
【発明を実施するための最良の形態】
【００１９】
以下本発明の実施の形態について、図面を参照しながら説明する。
【００２０】
（実施の形態１）
図１は、本発明の実施の形態１における映像再生装置、操作装置、及び接続される映像表示装置についてのハードウェア構成を示した図である。
【００２１】
図１において、映像再生装置１２は、ＨＤＭＩによって映像表示装置１１と接続されている。本システムにおいて、操作装置１４が外部からの入力操作を受け取り、映像再生装置１２が、入力操作に応じた映像処理を行い、映像表示装置１１が、映像再生装置１２が出力した映像信号をディスプレイに表示する。
【００２２】
例えば、映像表示装置１１は、ディスプレイを備えたテレビジョン装置、プロジェクタなどである。また、映像再生装置１２は、ＡＶ再生機器であって、光ディスクプレーヤおよびレコーダ、ハードディスクレコーダ、デジタルビデオカメラ等である。光ディスクとは、例えば、ＤＶＤ、ＢＤ、ＣＤ、ＭＤなどである。また、映像再生装置１２は、ＡＶ再生機能を備えた携帯電話などの情報携帯端末、ＰＣなどの情報処理装置であってもよい。
【００２３】
映像再生装置１２は、ＣＰＵ１２０１、メモリ１２０２、映像信号出力部１２０４、ＨＤＭＩトランスミッタ１２０５、出力信号ＰＬＬ（ＰｈａｓｅＬｏｃｋｅｄＬｏｏｐ）１２０６、映像データを記録する記録媒体１２０７、記録映像を再生するためのデコーダ１２０８、操作装置（リモコン）１４からの信号を受信するリモコン受光部１２１０、フロントマイコン１２０９を有している。これらは、内部バス１２１１によって相互に接続されている。
【００２４】
ＣＰＵ１２０１（Ｃｅｎｔｒａｌ  Ｐｒｏｃｅｓｓｉｎｇ  Ｕｎｉｔ；中央演算処理部）は、単一のＣＰＵで構成されてもよく、複数のＣＰＵで構成されてもよい。
【００２５】
メモリ１２０２は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を備えている。ＲＯＭは、ＣＰＵ１２０１の動作を規定する実行プログラム及びデータを記憶している。ＲＯＭには、フラッシュＲＯＭのように書き込みが可能で、電源を切っても記憶内容を保持できる不揮発性のメモリと記憶媒体も含まれる。ＲＡＭには、電源を切ると記憶内容が保持されない揮発性のメモリが含まれる。
【００２６】
ＨＤＭＩトランスミッタ１２０５は、ＨＤＭＩケーブルとの接続インタフェースであり、映像表示装置１１へ映像信号の出力を行うなど、映像表示装置１１との間でデータ送受信を行う。
【００２７】
出力信号ＰＬＬ１２０６は、原発信器の周波数を用いてクロックを生成し、生成したクロックを出力する回路である。
【００２８】
映像信号出力部１２０４は、デコーダ１２０８がデコードした後の映像データを受け取り、出力信号ＰＬＬ１２０６が生成したクロックに映像データを同期させる処理を行う。また、映像出力信号部１２０４は、同期処理後の出力映像信号を出力する。
【００２９】
記録媒体１２０７は、例えば、ＳＤメモリカード、光ディスクなどであり、映像データ及び付属情報を記録する。また、記録媒体１２０７は、ＣＰＵ１２０１上で実行される実行プログラムを記憶してもよい。
【００３０】
デコーダ１２０８は、再生対象の映像データをデコードし、デコード後の映像データを出力する装置である。
【００３１】
リモコン受光部１２１０は、操作装置１４からの信号を受信する。この信号は、操作装置１４が外部からの入力操作を受け取り、この入力操作に対応する制御を行う場合に、送信される。また、この信号は、送信装置１４が通電予備動作を検出した場合に、送信される。
【００３２】
フロントマイコン１２０９は、リモコン受光部１２１０から電源オンの信号を受けると、ＣＰＵ１２０２を起動する。
【００３３】
以上の構成により、映像再生装置１２の主要な機能は、メモリ１２０２もしくは記録媒体１２０２に記録された実行プログラムを、ＣＰＵ１２０１とフロントマイコン１２０９上にて実行することによって実現される。
【００３４】
映像再生装置１２において、記録媒体１２０２から読み出された情報は、ＣＰＵ１２０２経由、もしくはＤＭＡによる直接転送によりメモリ１２０２に蓄積される。映像データは、記録媒体１２０７から読み出され、デコーダ１２０８がメモリ１２０２を用いてデコードし、映像信号出力部１２０４が出力信号ＰＬＬ１２０６の生成するクロックへの同期処理する。さらに、映像信号出力部１２０４が同期処理後の出力映像信号は、ＨＤＭＩトランスミッタ１２０５から映像表示装置１１に対して映像信号として出力される。
【００３５】
また、映像再生装置１２に対する操作は、主に操作装置１４を通じて行われる。映像再生装置１２は、使用しない時すなわち電源待機時、フロントマイコン１２０９とリモコン受光部１２１０だけが通電状態になっており、ユーザーの電源投入指示のリモコン操作を待っている状態となる。
【００３６】
なお、電源待機状態において、フロントマイコン１２０９、リモコン受光部１２１０に加えて、ＨＤＭＩトランスミッタ１２０５も通電状態であるとしてもよい。
【００３７】
次に、操作装置１４について説明する。
【００３８】
操作装置１４は、センサ１４０１、リモコン送信部１４０２、入力部１４０３を有している。
【００３９】
センサ１４０１は、加速度センサ、人感センサなどであり、通電予備動作の検出を行ない、通電予備動作が検出された場合に、リモコン送信部１４０２を介して、映像再生装置１２に、信号を送信する。通電予備動作とは、ユーザーがリモコン（操作装置１４）を持ち上げる、テレビの前に座るなど、電源オン操作の前に行われる動作を示す。
【００４０】
入力部１４０３は、ボタンやキーなどに対する外部からの入力操作を受け付け、起動操作が要求された場合に、リモコン送信部１４０２を介して、映像再生装置１２に、信号を送信する。
【００４１】
リモコン送信部１４０２は、センサ１４０１または入力部１４０３からの指示を受け、映像再生装置１２に、信号を送信する。
【００４２】
次に、映像表示装置１１について説明する。
【００４３】
映像表示装置１１は、ディスプレイ１１０１、ＣＰＵ１１０２、メモリ１１０３、ＨＤＭＩレシーバ１１０４を有している。これらは内部バス１１０４によって相互に接続されている。
【００４４】
ディスプレイ１１０１は、映像を表示するディスプレイ装置であり、例えば、ＬＣＤ（液晶ディスプレイ）、ＰＤＰ（プラズマディスプレイ）、ＣＲＴなどである。
【００４５】
ＣＰＵ１１０２は、単一のＣＰＵで構成されてもよく、複数のＣＰＵで構成されてもよい。
【００４６】
メモリ１１０３は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を備えている。ＲＯＭは、ＣＰＵ１１０１の動作を規定する実行プログラム及びデータを記憶している。ＲＯＭには、フラッシュＲＯＭのように書き込みが可能で、電源を切っても記憶内容を保持できる不揮発性のメモリと記憶媒体も含まれる。ＲＡＭには、電源を切ると記憶内容が保持されない揮発性のメモリが含まれる。
【００４７】
ＨＤＭＩレシーバ１１０４は、ＨＤＭＩケーブルとの接続インタフェースであり、映像再生措置１２から映像信号を受信する。
【００４８】
以上の構成により、映像再生装置１１の主要な機能も同様に、メモリ１１０３に記録された実行プログラムをＣＰＵ１１０２上にて実行することによって実現される。
【００４９】
映像再生装置１１は、ＨＤＭＩレシーバ１１０４が受信した映像信号を、メモリ１１０３を経由しディスプレイ１１０１に表示する。
【００５０】
図２は、本発明の実施の形態１における映像再生装置１２と操作装置１１の高速出画機能に関する構成を示すブロック図である。
【００５１】
図２において、映像再生装置１２は、通知信号受信手段２０９、映像記憶手段２０１、映像再生手段２０２、同期信号生成手段２０３、映像出力手段２０４、先行認証制御手段２０５、認証処理手段２０７、先行認証通知手段２０６、通信手段２０８を備えている。
【００５２】
映像記憶手段２０１は、記憶媒体１２０７に相当し、再生対象の映像データ及び付属情報を記憶している。なお、付属情報とは、対応する映像データに関連する管理情報、メタ情報などである。
【００５３】
映像再生手段２０２は、デコーダ１２０８に相当し、映像記憶手段２０１に記憶している映像データをデコードし、デコード後の映像データを映像出力手段２０４に出力する。
【００５４】
同期信号生成手段２０３は、出力信号ＰＬＬ１２０６に相当し、原発信器の周波数を用いてクロックを生成し、生成したクロックを出力する回路である。同期信号生成手段２０３は、映像再生手段２０２が出力する信号に同期した信号を生成する同期モードと、映像再生手段２０２の信号に影響されない自走クロックモードとを有する。
【００５５】
映像出力手段２０４は、映像信号出力部１２０４に相当し、映像再生手段２０２がデコードした後の映像データを受け取り、同期信号生成手段２０４が生成したクロックに、映像データを同期させる処理を行う。また、映像出力手段２０４は、同期処理後の出力映像信号を、通信手段２０８を介して、映像表示装置１１へ送信する。
【００５６】
先行認証制御手段２０５は、ＣＰＵ１２０１にて実施される処理であって、先行認証に関する制御を行う。先行認証制御手段２０５は、通知信号受信手段２０９から通電予備動作の検出通知を受信し、先行認証の開始と判断し、先行認証通知手段２０６に通知する。また、先行認証制御手段２０５は、先行認証の完了状態を判断し、同期信号生成手段２０３に対するモード遷移の制御を行う。
【００５７】
先行認証通知手段２０６は、ＣＰＵ１２０１にて実施される処理であって、先行認証制御手段２０５から、先行認証の開始が通知されると、通信手段２０８を介して、映像表示装置１１へ先行認証開始通知を送信する。この通知により、映像再生装置１２は、認証処理を、画面表示より先行的に行う先行認証を開始する。
【００５８】
認証処理手段２０７は、ＣＰＵ１２０１にて実施される処理であって、映像表示装置１１との間で、ＨＤＣＰによる機器認証処理を行う。
【００５９】
なお、先行認証制御手段２０５、認証処理手段２０７、先行認証通知手段２０６の具体的処理内容については、図３を用いて後述する。
【００６０】
通信手段２０８は、ＨＤＭＩトランスミッタ１２０５に相当し、映像表示装置１１との通信を行う。具体的には、通信手段２０８は、映像出力手段２０４が出力した出力映像信号を受け取り、映像表示装置１１への出力を行う。また、通信手段２０８は、先行認証処理手段２０６から通知を受け、映像表示装置１１へ先行認証開始を通知する。さらに、通信手段２０８は、認証処理手段２０７と映像表示装置１１の間での、ＨＤＣＰ認証処理に関する制御信号の送受信を行う。
【００６１】
通知信号受信手段２０９はリモコン受光部１２１０に相当し、操作装置１４からの起動操作及び通電予備動作検出の通知を受信し、先行認証制御手段２０５に通知する。
【００６２】
なお、処理の実施は本実施例の記載に限定されるものでなく、各機能が実現されておればその実施箇所はＣＰＵであってもフロントマイコンやＨＤＭＩトランスミッタもしくはその他の外部ＤＳＰによる処理であってもかまわない。
【００６３】
同様にＣＰＵ、メモリ、映像処理回路といった機能を同時に実現するシステムＬＳＩによって実現される、としてもよい。
【００６４】
図２において、リモコン操作装置１４は、ユーザー操作を映像再生装置１２に通知する信号通知手段２１０、ユーザーの起動操作を受け付ける起動操作受付手段２１１、ユーザーが起動操作を行うと予測される予備動作を検出する通電予備動作検出手段２１２を有する。
【００６５】
通電予備動作検出手段２１２は、リモコンに内蔵されたセンサ１４０１に相当し、通電予備動作の検出を行ない、通電予備動作が検出された場合に、信号通知手段２１０を介して、映像再生装置１２に、信号を送信する。通電予備動作とは、ユーザーが操作装置１４を持ち上げる、テレビの前に座るなど、電源オン操作の前に行われる動作を示す。
【００６６】
起動操作受付手段２１１は、ボタンやキーなどに対する外部からの入力操作を受け付け、起動操作が要求された場合に、信号通知手段２１０を介して、映像再生装置１２に、信号を送信する。
【００６７】
信号通知手段２１０は、リモコン送信部１４０２に相当し、通電予備動作検出手段２１２または起動操作受付手段２１１からの指示を受け、映像再生装置１２に、信号を送信する。
【００６８】
以上の構成により、映像再生装置１２は、起動操作を受け付ける前に通電予備動作を検出し、実際の起動操作が行われる前に、先行的にＨＤＣＰ認証処理を開始することが可能となる。これにより、ＨＤＣＰによる認証状態を維持し続けることなく再接続を行う機器であっても、高速にＨＤＭＩによる出画を行うことができる。
【００６９】
なお、本実施の形態においては、通電予備動作検出手段をリモコン操作部に内蔵するとしているが、必ずしもこれに限定されない。
【００７０】
部屋や映像表示装置にセンサが取り付けられており、センサからの通電予備動作検出通知をＢｌｕｅｔｏｏｔｈなどの通信手段を通じて映像再生装置１２が受信するとしてもよい。
【００７１】
図３は、本発明の実施の形態におけるＨＤＭＩ出画の高速化についての手順を示すフローチャートである。まず、ユーザーがテレビの前に座る若しくはリモコンを持ち上げるといった通電予備動作を行うことで、処理を開始する。
【００７２】
操作装置１４の通電予備動作検出手段２１２が、通電予備動作を検出する（Ｓ３０１）。
【００７３】
通電予備動作検出手段２１２は、通電予備動作を検出すると、信号通知手段２１０を介して、通電予備動作通知を映像再生装置１２へ通知する（Ｓ３０２）。
【００７４】
映像再生装置１２の先行認証制御手段２０５は、通知信号受信手段２０９を介して、通電予備動作通知を操作装置１４から受信する（Ｓ３０５）。
【００７５】
先行認証制御手段２０５は、通電予備動作通知を受信すると、先行認証の開始と判断し、先行認証通知手段２０６と認証処理手順２０７に先行認証の開始を通知し、映像表示装置１１との間でＨＤＣＰの先行認証を開始する（Ｓ３０６、Ｓ３１２）。この通知により、映像再生装置１２と映像表示装置１１は、認証処理を、画面表示より先行的に行う先行認証を開始する。ステップＳ３０６、Ｓ３１２の処理詳細については、図４を用いて、後に一例を説明する。
【００７６】
その後、ユーザーが実際に操作装置１４に対する起動操作を行うと、操作装置１４の起動操作受付手段２１１は、起動操作を受け付ける（Ｓ３０３）。
【００７７】
起動操作受付手段２１１は、起動操作を受け付けると、信号通知手段２１０を介して、起動操作通知を映像再生装置１２へ通知する（Ｓ３０４）。
【００７８】
映像再生装置１２の先行認証制御手段２０５は、通信信号受信手段２０９を介して、起動操作通知を操作装置１４から受信する（Ｓ３０７）。
【００７９】
先行認証手段２０５は、映像再生装置１２の起動を開始するとともに、先行認証通知手段２０６に通知し、先行認証通知手段２０６は、ＣＥＣ機能を用いて、通信手段２０８を介して、映像表示装置１１に起動操作通知を行う（Ｓ３０８）。
【００８０】
映像表示装置１１は、起動操作通知を受信し（Ｓ３１３）、ディスプレイの表示処理を開始する（Ｓ３１４）。
【００８１】
映像再生装置１２の先行認証制御手段２０５は、起動操作通知を受信した後、先行認証処理が完了しているか否かを判断する（Ｓ３０９）。先行認証制御手段２０５は、認証処理手段２０７の状態を取得することで、判断することが可能である。また、先行認証制御手段２０６は、先行認証処理が完了しているか否かによって、同期信号生成手段２０３の同期モードの切り替えを制御する。
【００８２】
先行認証処理がすでに完了している場合（Ｓ３０９がＹ）、先行認証制御手段２０５は、同期信号生成手段２０３に、出力ＰＬＬの動作モードの切り替えを指示する。まず、同期信号生成手段２０３は、先行認識制御手段２０５からの指示を受け、出力ＰＬＬの動作モードを自走クロックモードから高速同期モードに遷移させ（Ｓ３１０）、その後、低速同期モードに遷移させる（Ｓ３１５）。なお、高速同期モードと低速同期モードについては、図５を用いて、後で説明する。
【００８３】
自走クロックモードから高速同期モード、高速同期モードから低速同期モードへの遷移を行うと、遷移を行った瞬間にＰＬＬから出力される周波数に乱れが生じ、認証処理や映像出力に悪影響を及ぼす。
【００８４】
しかしながら先行認証が完了している場合には、この乱れが生じる区間を認証処理と映像表示開始処理の完了の間で行うことができる為、これらの処理に悪影響を与えることなく起動処理のさらなる高速化が可能となる。
【００８５】
一方、先行認証がまだ完了していない場合（Ｓ３０９がＮ）、先行認証制御手段２０５は、認証処理が完了するのを待ち（Ｓ３１１）、同期信号生成手段２０３に、出力ＰＬＬの動作モードの切り替えを指示する。同期信号生成手段２０３は、先行認識制御手段２０５からの指示を受け、出力ＰＬＬの動作モードを自走クロックモードから低速同期モードに遷移させる（Ｓ３１５）。
【００８６】
なお、先行認証開始後も一定時間（たとえば５秒）が経過しても起動操作が受信されない場合には、映像再生装置１２、映像表示装置１１とも先行認証処理を終了し、通常の待機状態に戻る（図３のスタート状態）。
【００８７】
かかる構成によれば、ユーザーによる電源オン操作に先駆けて行われる通電予備動作によってＨＤＣＰ認証処理を開始することにより、ＨＤＭＩ出力及び映像表示までの時間を短縮することが可能となる。
【００８８】
また、出力ＰＬＬの駆動モードの切り替え手順を通電予備動作検出から起動操作がなされるまでの時間に応じて変更することにより、ＨＤＭＩ出力及び映像表示までの時間を、さらに短縮することができる。
【００８９】
また、電源起動の意図なくリモコンを動かした場合など、通電予備動作でない動作により先行認証が開始された場合は、ディスプレイの起動処理は行わない。これにより、起動操作以外で行われる先行認証をユーザーに認識されることを防ぐことが可能となる。
【００９０】
図５は、ＰＬＬの基本構成を示す図である。
【００９１】
ＰＬＬは、原発信器５０１、位相検波器５０３、自励発信器５０４、周波数分周器５０２、５０５を備えている。
【００９２】
自励発信器５０４は、電圧により発信周波数の変化する発信器であり、これを制御するのが位相検波器５０３である。
【００９３】
位相検波器５０３は、自励発信器５０４の発信周波数を、外部同期信号と同期した正確な発信周波数に安定化させ、クロックを生成して出力する機能を有している。位相検波器５０３は、次の３つの信号を入力して処理を行う。第１の信号は、水晶振動子などの原発信器５０１の信号を周波数分周器５０２で分周した基準信号（信号Ａ）である。第２の信号は、自励発信器５０４の信号を周波数分周器５０５で分周した発信信号（信号Ｂ）である。第３の信号は、外部より供給される外部同期信号５０６である。位相検波器５０３は、これら３つの入力信号（信号Ａ、信号Ｂ、外部同期信号５０６）を比較し、自励発信器５０４の発信周波数を外部同期信号と同期した正確な発信周波数に安定化させる。
【００９４】
ＰＬＬは、周波数分周器５０２、５０５による分周を大きくすると、信号Ａ、信号Ｂの安定性が増す代わりに出力信号が目標周波数に収束するまでの時間が長くなる（低速同期モード）。逆に分周を小さくすると、目標周波数に収束するまでの時間が早くなる代わりに収束後の発信周波数の安定度が下がる（高速同期モード）。
【００９５】
映像表示装置１２は、ＰＬＬ（同期信号生成手段２０３）から出力される信号が、目標周波数に収束するまでは映像の表示や認証処理を開始することができない。
【００９６】
また、発信周波数が安定しない場合には、映像表示においてフレーム抜けや重複フレームが発生する。
【００９７】
このため、映像表示装置１２において、映像乱れを低減するためには、自走モードは同期元クロックの存在しないアナログ放送表示など以外では利用されない。つまり、映像表示装置１２において、周辺回路やＣＰＵでのメイン処理の起動速度を鑑み、できる限り低速な同期モードとなるよう分周数が設定される。
【００９８】
図４は、図３のステップＳ３０６の手順を示すフローチャートである。図４を用いて先行認証動作について説明する。まず、映像再生装置１２の先行認証制御手段２０５が、先行認証通知手段２０６と認証処理手順２０７に先行認証の開始を通知することで、処理を開始する。
【００９９】
映像再生装置１２の先行認証通知手段２０６は、映像表示装置１１に対し、先行認証を開始することを、ＨＤＭＩのＣＥＣ機能を用いて通知する（Ｓ４０１）。
【０１００】
映像表示装置１１は、先行認証開始通知を受信する（Ｓ４０５）。
【０１０１】
映像再生装置１２の先行認証通知手段２０６が映像表示装置１１へ開始を通知すると直ちに、先行認証制御手段２０５は、同期信号生成手段２０３（出力信号ＰＬＬ１２０６）に対し、自走クロックモードでの起動を指示する（Ｓ４０２）。
【０１０２】
なお、ステップＳ４０２において、同期信号生成手段２０３に対する自走クロックモードでの起動とは、図５の外部同期信号入力５０６を無視して、信号Ａと信号Ｂを利用して自励発信器５０４を制御するモードを指す。自走クロックモードを利用することにより、映像デコーダの起動や再生信号の出力クロックが安定するのを待つことなく、映像出力用信号の出力を開始することができる。
【０１０３】
次に、映像再生装置１２の認証処理手段２０７は、映像表示装置１１に対し、ＨＤＣＰ認証開始を通知し（Ｓ４０３）、映像表示装置１１との間でＨＤＣＰ認証を実施する（Ｓ４０４）。
【０１０４】
映像表示装置１１は、ＨＤＣＰ認証開始を受信して、これを受け付け（Ｓ４０６）、映像再生装置１２との間でＨＤＣＰ認証処理を実施する（Ｓ４０７）。映像表示装置１１は、ステップＳ４０５で先行認証開始通知を受信済みであるため、「先行認証処理」と判断し、ディスプレイの表示処理を行わない。つまり、ディスプレイが表示オフのまま、ＨＤＣＰ認証処理を実施する。なお、映像表示装置１１は、先行認証開始通知を受信していない場合、「通常認証処理」と判断し、ＨＤＣＰ認証に先駆けて、ディスプレイの表示処理を開始し、ディスプレイが表示オンの状態で、ＨＤＣＰ認証を実施する。
【０１０５】
かかる構成により、映像再生装置１２は、起動操作を受け付ける前に通電予備動作を検出し、実際の起動操作が行われる前に、先行的にＨＤＣＰ認証処理を開始することが可能となる。これにより、ＨＤＣＰによる認証状態を維持し続けることなく再接続を行う機器であっても、高速にＨＤＭＩによる出画を行うことができる。
【０１０６】
また、出力ＰＬＬの駆動モードの切り替え手順を通電予備動作検出から起動操作がなされるまでの時間に応じて変更することにより、ＨＤＭＩ出力及び映像表示までの時間を、さらに短縮することができる。
【０１０７】
また、電源起動の意図なくリモコンを動かした場合など、通電予備動作でない動作により先行認証が開始された場合は、ディスプレイの起動処理は行わない。これにより、起動操作以外で行われる先行認証をユーザーに認識されることを防ぐことが可能となる。
【０１０８】
（実施の形態２）
図１０は、本発明の実施の形態２における映像再生装置１２と操作装置１１の高速出画機能に関する構成を示すブロック図である。なお、映像再生装置１２のハードウェア構成は、実施の形態１と同様に、図１に示している。
【０１０９】
図１０において、図２と同じ構成要素については同じ符号を用い、説明を省略する。
【０１１０】
図１０において、映像再生装置１２は、通知信号受信手段２０９、映像記憶手段２０１、映像再生手段２０２、同期信号生成手段２０３、映像出力手段２０４、先行認証制御手段２２５、認証処理手段２０７、先行認証通知手段２０６、通信手段２０８、内部時計２２０、判定情報記憶部２２１、有効判定手段２２２を備えている。
【０１１１】
内部時計２２０は、映像再生装置１２の現在時刻を管理する。
【０１１２】
判定情報記憶手段２２１は、記憶媒体１２０７に相当し、映像再生装置１２本体の通電履歴を示す情報である通電履歴情報と、番組録画の予約情報である予約録画情報を記憶している。映像再生装置１２は、操作装置１４からの番組録画の予約操作を受け付け、予約録画情報として判定情報記憶手段２１１に格納する。通電履歴情報は、例えば、起動操作と終了操作が行われた時刻を蓄積した情報である。
【０１１３】
また、判定情報記憶手段２２１は、通信手段２０８を介して取得した映像表示装置１１の通電状態を、映像表示装置１１の通電履歴情報として格納する。
【０１１４】
有効判定手段２２２は、ＣＰＵ１２０１にて実施される処理であって、判定情報記憶手段２１１に記憶されている通電履歴情報と予約録画情報を用いて、先行認証を有効とする時間帯を判定する。有効判定手段２２２は、一定期間（例えば１ヶ月）の映像再生装置の通電履歴を曜日ごとに集計し、一定数（例えば２回）以上通電されていた時間帯を先行認証が有効な時間帯と判定する。また、映像表示装置の通電履歴が保存されている場合には、こちらに対しても同様に集計を行い、一定の係数（たとえば０．５）を乗算して映像再生装置の通電回数に加算した上で、一定数を超えているかの判定を行う。
【０１１５】
先行認証制御手段２２５は、ＣＰＵ１２０１にて実施される処理であって、先行認証に関する制御を行う。先行認証制御手段２０５は、通知信号受信手段２０９からの通知に基づいて、通電予備動作の検出通知を受信し、内部時計２２０から現在時刻を取得し、有効判定手段２２２に現在時刻が先行認証有効時間帯であるか否かを問い合わせる。
【０１１６】
有効判定手段２２２への問い合わせの結果、先行認証有効時間帯である場合、先行認証制御手段２２５は、先行認証の開始と判断し、先行認証通知手段２０６に通知する。先行認証有効時間帯でない場合、先行認証制御手段２２５は、先行認証を開始しない。
【０１１７】
かかる構成によれば、映像再生装置１２は、起動操作を受け付ける前に通電予備動作を検出し、過去の通電履歴を元に先行認証の有効／無効を判断し、実際の起動操作が行われる前に、先行的にＨＤＣＰ認証処理を開始することが可能となる。これにより、ＨＤＣＰによる認証状態を維持し続けることなく再接続を行う機器であっても、高速にＨＤＭＩによる出画を行うことができる。
【０１１８】
また、過去の通電履歴を元に先行認証の有効／無効を切り替えることで、人感センサなど、通電予備動作の検出としては誤検出が多いセンサを用いる場合であっても、無駄な先行認証処理を防止することが可能となる。
【０１１９】
なお、本実施の形態では、通電履歴として映像再生装置自身及び接続されている映像表示装置の通電履歴を記憶しているが、記憶する通電履歴はこれに限らない。例えば、通電履歴は、ネットワーク接続されている他の映像再生装置についても記憶するとしてもよい。
【０１２０】
また、先行認証有効時間帯の判定方法として、曜日ごとの集計を行うとしたが、その他の集計方法であってもよい。例えば、集計方法は、月〜金と土・日とを分けて集計するとしてもよい。
【０１２１】
なお、本発明を上記の実施の形態に基づいて説明してきたが、本発明は、上記の実施の形態に限定されないのはもちろんである。
【０１２２】
本発明は、上記に示す方法であるとしてもよい。
【０１２３】
また、本発明は、上記方法をコンピュータにより実現するコンピュータプログラムをコンピュータ読み取り可能な記録媒体に記録したものとしてもよい。この記録媒体は、例えば、フロッピー（登録商標）ディスク、ハードディスク、ＣＤ−ＲＯＭ、ＭＯ、ＤＶＤ，ＤＶＤ−ＲＯＭ、ＤＶＤ−ＲＡＭ、半導体メモリなどである。また、本発明は、前記コンピュータプログラムを、電気通信回線、無線または有線通信回線、インターネットを代表とするネットワークなどを経由して伝送するものとしてもよい。
【０１２４】
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１２５】
また、前記プログラムは、前記記録媒体に記録して移送することにより、または前記プログラムは、前記ネットワークなどを経由して移送することにより、独立したほかのコンピュータシステムにより実施するとしてもよい。
【産業上の利用可能性】
【０１２６】
本発明にかかる映像再生装置は、ＨＤＭＩ接続された映像表示装置に対して出画を高速化する機能を有し、特に、ハードディスク内蔵レコーダ、光ディスクプレーヤ等として有用である。また、ＨＤＭＩ接続されたＡＶパソコンなどの用途にも応用できる。
【図面の簡単な説明】
【０１２７】
【図１】本発明の実施の形態における映像再生装置、操作装置、映像表示装置の一例を示すハードウェア構成図
【図２】本発明の実施の形態における映像再生装置と操作装置の構成の一例を示すブロック図
【図３】本発明の実施の形態における映像再生装置と映像表示装置の出画までの処理フローの一例を示す図
【図４】本発明の実施の形態における映像再生装置と映像表示装置の先行認証処理フローの一例を示す図
【図５】本発明の実施の形態におけるＰＬＬの基本構成を示すブロック図
【図６】本発明の実施の形態における映像再生装置と操作装置の構成の一例を示すブロック図
【符号の説明】
【０１２８】
１１    映像表示装置
１２    映像再生装置
１３    ＨＤＭＩケーブル
１４    操作装置
１１０１    ディスプレイ
１１０２，１２０１    ＣＰＵ
１１０３，１２０２    メモリ
１１０４    ＨＤＭＩレシーバ
１１０５，１２１１    内部バス
１２０４    映像信号出力部
１２０５    ＨＤＭＩトランスミッタ
１２０６    出力信号ＰＬＬ
１２０７    記録媒体
１２０８    デコーダ
１２０９    フロントマイコン
１２１０    リモコン受光部
１４０１    センサ
１４０２    リモコン送信部
２０１    映像記憶手段
２０２    映像再生手段
２０３    同期信号生成手段
２０４    映像出力手段
２０５，２２５    先行認証制御手段
２０６    先行認証通知手段
２０７    認証処理手段
２０８    通信手段
２０９    通知信号受信手段
２１０    信号通知手段
２１１    起動操作受付手段
２１２    通電予備動作検出手段
２２０    内部時計
２２１    判定情報記憶手段
２２２    有効判定手段
【図１】
2010232762.tif 000003
【図２】
2010232762.tif 000004
【図３】
2010232762.tif 000005
【図４】
2010232762.tif 000006
【図５】
2010232762.tif 000007
【図６】
2010232762.tif 000008